(57)【要約】【課題】表示システムのユーザービリティを向上する。【解決手段】複数の表示装置を含む表示システムの制御方法であって、前記複数の表示装置の各々は、グループ化に対応することを示す識別情報を含む管理情報を送信し、前記複数の表示装置のうちの１つである第１の表示装置は、第２の表示装置から送信される前記管理情報を取得し、前記第１の表示装置は、前記第２の表示装置に、前記第１の表示装置への無線接続に必要な接続情報を送信し、前記第２の表示装置は、前記接続情報を前記第１の表示装置から受信すると、前記接続情報に基づいて前記第１の表示装置に無線で接続することにより、前記第１の表示装置のグループに参加する。【選択図】図３
2020016810.tif 000002
【特許請求の範囲】
【請求項１】
複数の表示装置を含む表示システムの制御方法であって、
前記複数の表示装置の各々は、グループ化に対応することを示す識別情報を含む管理情報を送信し、
前記複数の表示装置のうちの１つである第１の表示装置は、第２の表示装置から送信される前記管理情報を取得し、
前記第１の表示装置は、前記第２の表示装置に、前記第１の表示装置への無線接続に必要な接続情報を送信し、
前記第２の表示装置は、前記接続情報を前記第１の表示装置から受信すると、前記接続情報に基づいて前記第１の表示装置に無線で接続することにより、前記第１の表示装置のグループに参加する、
ことを特徴とする表示システムの制御方法。
【請求項２】
前記第１の表示装置は、グループを形成するグループ化処理の開始を指示する開始指示を受け付けると、前記接続情報を前記第２の表示装置に送信する、
ことを特徴とする請求項１に記載の表示システムの制御方法。
【請求項３】
前記第１の表示装置のグループに属する前記第１の表示装置および前記第２の表示装置を制御する制御装置を、前記第１の表示装置に無線で接続する、
ことを特徴とする請求項１または２に記載の表示システムの制御方法。
【請求項４】
前記複数の表示装置の各々は、アクセスポイントとして機能するアクセスポイント機能により前記管理情報を送信する、
ことを特徴とする請求項１から３のいずれか１項に記載の表示システムの制御方法。
【請求項５】
前記複数の表示装置の無線機能の初期状態は、アクセスポイントとして機能するアクセスポイント機能とクライアントとして機能するクライアント機能とのうちの前記アクセスポイント機能であり、
前記第２の表示装置は、前記接続情報を前記第１の表示装置から受信すると、無線機能を前記アクセスポイント機能から前記クライアント機能に切り替え、前記接続情報に基づいて前記第１の表示装置に無線で接続する、
ことを特徴とする請求項１から３のいずれか１項に記載の表示システムの制御方法。
【請求項６】
前記複数の表示装置の各々は、前記アクセスポイント機能により前記管理情報を送信する、
ことを特徴とする請求項５に記載の表示システムの制御方法。
【請求項７】
複数の表示装置を含む表示システムであって、
前記複数の表示装置の各々は、グループ化に対応することを示す識別情報を含む管理情報を送信し、
前記複数の表示装置のうちの１つである第１の表示装置は、第２の表示装置から送信される前記管理情報を取得し、
前記第１の表示装置は、前記第２の表示装置に、前記第１の表示装置への無線接続に必要な接続情報を送信し、
前記第２の表示装置は、前記接続情報を前記第１の表示装置から受信すると、前記接続情報に基づいて前記第１の表示装置に無線で接続することにより、前記第１の表示装置のグループに参加する、
ことを特徴とする表示システム。
【請求項８】
表示装置であって、
他の表示装置から送信されるグループ化に対応することを示す識別情報を含む管理情報を取得する取得部と、
自表示装置のグループに参加させるために、前記識別情報を含む前記管理情報の送信元の表示装置に自表示装置への無線接続に必要な接続情報を送信する接続情報送信部と、
を備えることを特徴とする表示装置。
【請求項９】
表示装置であって、
グループ化に対応することを示す識別情報を含む管理情報を送信する管理情報送信部と、
他の表示装置のうちの１つである特定の表示装置への無線接続に必要な接続情報を前記特定の表示装置から受信すると、前記接続情報に基づいて前記特定の表示装置に無線で接続することにより、前記特定の表示装置のグループに参加する無線接続制御部と、
を備えることを特徴とする表示装置。
【発明の詳細な説明】
【技術分野】
【０００１】
本発明は、表示システムの制御方法、表示システムおよび表示装置に関する。
【背景技術】
【０００２】
複数の表示装置を用いて画像を表示する表示システムが知られている。例えば、特許文献１には、複数のプロジェクターを１つのグループとし、グループに属する複数のプロジェクターを用いて画像を表示する画像伝送システムが開示されている。この種のシステムは、各プロジェクターが有するネットワーク機能を用いて、複数のプロジェクターをグループ化する。ネットワーク機能は、例えば、有線ＬＡＮ（Local Area Network）、無線ＬＡＮ等のネットワークに装置を接続する機能である。有線ＬＡＮを用いて複数の表示装置をグループ化する場合、表示装置の設置環境によっては、ＬＡＮケーブルの敷設が困難になる。これに対し、無線ＬＡＮを用いて複数の表示装置をグループ化する場合、ＬＡＮケーブルの敷設が不要であるため、表示装置の設置環境の制限は、有線ＬＡＮを用いる場合に比べて少ない。
【先行技術文献】
【特許文献】
【０００３】
【特許文献１】特開２０１３−２１９４７１号公報
【発明の概要】
【発明が解決しようとする課題】
【０００４】
しかし、無線ＬＡＮを用いて複数の表示装置をグループ化する場合、無線接続のための初期設定等のネットワーク設定が有線ＬＡＮを用いる場合に比べて難解である。すなわち、無線ＬＡＮを用いて複数の表示装置をグループ化する場合、複数の表示装置のネットワーク設定を適切に行うことがユーザーにとって煩雑な作業になり、使い勝手等のユーザービリティが低下する。
【課題を解決するための手段】
【０００５】
上記課題を解決するために本発明の表示システムの制御方法の一態様は、複数の表示装置を含む表示システムの制御方法であって、前記複数の表示装置の各々は、グループ化に対応することを示す識別情報を含む管理情報を送信し、前記複数の表示装置のうちの１つである第１の表示装置は、第２の表示装置から送信される前記管理情報を取得し、前記第１の表示装置は、前記第２の表示装置に、前記第１の表示装置への無線接続に必要な接続情報を送信し、前記第２の表示装置は、前記接続情報を前記第１の表示装置から受信すると、前記接続情報に基づいて前記第１の表示装置に無線で接続することにより、前記第１の表示装置のグループに参加する。
【０００６】
また、本発明に係る表示システムの一態様は、複数の表示装置を含む表示システムであって、前記複数の表示装置の各々は、グループ化に対応することを示す識別情報を含む管理情報を送信し、前記複数の表示装置のうちの１つである第１の表示装置は、第２の表示装置から送信される前記管理情報を取得し、前記第１の表示装置は、前記第２の表示装置に、前記第１の表示装置への無線接続に必要な接続情報を送信し、前記第２の表示装置は、前記接続情報を前記第１の表示装置から受信すると、前記接続情報に基づいて前記第１の表示装置に無線で接続することにより、前記第１の表示装置のグループに参加する。
【０００７】
また、本発明に係る表示装置の一態様は、他の表示装置から送信されるグループ化に対応することを示す識別情報を含む管理情報を取得する取得部と、自表示装置のグループに参加させるために、前記識別情報を含む前記管理情報の送信元の表示装置に自表示装置への無線接続に必要な接続情報を送信する接続情報送信部と、を備える。
【０００８】
また、本発明に係る表示装置の一態様は、グループ化に対応することを示す識別情報を含む管理情報を送信する管理情報送信部と、他の表示装置のうちの１つである特定の表示装置への無線接続に必要な接続情報を前記特定の表示装置から受信すると、前記接続情報に基づいて前記特定の表示装置に無線で接続することにより、前記特定の表示装置のグループに参加する無線接続制御部と、を備える。
【図面の簡単な説明】
【０００９】
【図１】本発明の第１実施形態に係る表示システムの説明図である。
【図２】第１実施形態に係る表示装置の構成を示すブロック図である。
【図３】第１実施形態に係る表示システムの動作を説明するための説明図である。
【図４】第１実施形態に係る表示装置の動作の一例を示すフローチャートである。
【図５】第２実施形態に係る表示システムの説明図である。
【発明を実施するための形態】
【００１０】
以下、図面を参照しながら実施形態を説明する。なお、図面において各部の寸法および縮尺は実際のものと適宜異なる。本実施形態には、技術的に好ましい種々の限定が付されている。しかしながら、本発明の範囲は、これらの形態に限られるものではない。
【００１１】
＜第１実施形態＞
本発明の第１実施形態について図１から図４を参照しつつ説明する。図１は、本発明の第１実施形態に係る表示システム１０の説明図である。図１に示す表示システム１０は、例えば、複数の表示装置１００ａ、１００ｂおよび１００ｃを有する。表示装置１００ａ、１００ｂおよび１００ｃは、例えば、プロジェクターである。表示装置１００ａ、１００ｂおよび１００ｃの構成は互いに同じである。このため、以下では、表示装置１００ａ、１００ｂおよび１００ｃは、表示装置１００ａ、１００ｂおよび１００ｃを区別する必要が無い場合等、単に、表示装置１００とも称される。なお、表示システム１０に含まれる表示装置１００の数は、３つに限定されず、例えば、２つでもよいし、４つ以上でもよい。
【００１２】
表示システム１０は、複数の表示装置１００をグループ化することにより、例えば、同一のグループに属する複数の表示装置１００を協働させて画像を表示する制御等を容易に実現できる。なお、グループ化の活用方法は、複数の表示装置１００を協働させて画像を表示することに限定されない。
【００１３】
例えば、表示システム１０は、複数の表示装置１００ａ、１００ｂおよび１００ｃの各々が有する無線機能を用いて、複数の表示装置１００ａ、１００ｂおよび１００ｃをグループ化する。無線機能は、例えば、アクセスポイントとして機能するアクセスポイント機能およびクライアントとして機能するクライアント機能のいずれかに、表示装置１００の状態に応じて設定される。例えば、初期状態では、無線機能は、アクセスポイント機能に設定される。アクセスポイント機能は、例えば、ＳｏｆｔＡＰ機能であり、表示装置１００を無線ＬＡＮのアクセスポイントとして動作させる。複数の表示装置１００をグループ化する際の表示システム１０の動作は、図３で説明される。表示システム１０の動作を説明する前に、図２を参照して、表示装置１００の構成を説明する。
【００１４】
図２は、第１実施形態に係る表示装置１００の構成を示すブロック図である。表示装置１００は、操作部１１０、画像処理部１２０、ライトバルブ駆動部１３０、光源駆動部１４０、投射部１５０、通信部１６０、記憶部１７０、制御部１８０およびバス１９０を有する。投射部１５０は、光源１５１と、３つの液晶ライトバルブ１５２Ｒ、１５２Ｇおよび１５２Ｂと、投射光学系１５３とを含む。以下、３つの液晶ライトバルブ１５２Ｒ、１５２Ｇおよび１５２Ｂは、まとめて、液晶ライトバルブ１５２とも称される。
【００１５】
操作部１１０、画像処理部１２０、ライトバルブ駆動部１３０、光源駆動部１４０、通信部１６０、記憶部１７０および制御部１８０は、バス１９０を介して相互に通信可能である。
【００１６】
操作部１１０は、例えば、各種の操作ボタン、操作キーまたはタッチパネルである。操作部１１０は、ユーザーの入力操作を受け付けてユーザーの入力操作に応じた操作情報を出力する。操作部１１０は、操作情報を無線または有線で送信するリモートコントローラー等であってもよい。操作部１１０としてリモートコントローラーが用いられる場合、表示装置１００は、リモートコントローラーが送信する操作情報を受信する受信部を有する。リモートコントローラーは、ユーザーによる入力操作を受け付ける各種の操作ボタン、操作キーまたはタッチパネルを有する。
【００１７】
画像処理部１２０は、画像情報に画像処理を実行することにより、画像信号を生成する。例えば、画像処理部１２０は、図示しないパーソナルコンピューター等の画像供給装置から受信する画像情報に画像処理を実行することにより、画像信号を生成する。
【００１８】
ライトバルブ駆動部１３０は、画像処理部１２０により生成される画像信号に基づいて、液晶ライトバルブ１５２を駆動する。
【００１９】
光源駆動部１４０は、光源１５１を駆動する。例えば、光源駆動部１４０は、電源をオンする操作を操作部１１０が受け付けると、光源１５１を発光させる。
【００２０】
投射部１５０は、スクリーン等の投射面に投射画像を投射する。なお、投射面は、スクリーンに限らず適宜変更可能であり、例えば、壁でもよい。光源１５１は、例えば、ＬＥＤ（Light Emitting Diode）である。なお、光源１５１は、ＬＥＤに限定されない。例えば、光源１５１は、キセノンランプ、超高圧水銀ランプまたはレーザー光源でもよい。光源１５１から射出される光は、図示しないインテグレーター光学系によって輝度分布のばらつきが低減され、その後、図示しない色分離光学系によって光の３原色である赤色、緑色および青色の色光成分に分離される。赤色、緑色および青色の色光成分は、それぞれ液晶ライトバルブ１５２Ｒ、１５２Ｇおよび１５２Ｂに入射する。
【００２１】
液晶ライトバルブ１５２は、一対の透明基板間に液晶が封入される液晶パネル等により構成される。液晶ライトバルブ１５２は、矩形の画素領域１５２ａを有し、画素領域１５２ａは、マトリクス状に配列される複数の画素１５２ｐを有する。液晶ライトバルブ１５２は、液晶に対して画素１５２ｐごとに駆動電圧を印加できる。ライトバルブ駆動部１３０が、画像処理部１２０から受ける画像信号に基づく駆動電圧を各画素１５２ｐに印加すると、各画素１５２ｐは、画像信号に基づく光透過率に設定される。このため、光源１５１から射出される光は、画素領域１５２ａを透過することで変調され、画像信号に基づく画像が色光ごとに形成される。
【００２２】
各色の画像が図示しない色合成光学系によって画素１５２ｐごとに合成され、カラー画像である投射画像が生成される。投射画像は、投射光学系１５３によって投射面に拡大投射される。
【００２３】
通信部１６０は、例えば、無線ＬＡＮ等の無線通信インターフェースである。なお、通信部１６０は、有線ＬＡＮ等のインターフェースの機能を有してもよい。例えば、通信部１６０は、ネットワークを介して、他の表示装置１００と通信する。記憶部１７０は、コンピューターが読み取り可能な記録媒体である。例えば、記憶部１７０は、表示装置１００の動作を規定するプログラムと、種々の情報とを記憶する。
【００２４】
制御部１８０は、ＣＰＵ（Central Processing Unit）等のコンピューターであり、表示装置１００の全体の動作を制御する。制御部１８０は、１または複数のプロセッサーを有してもよい。
【００２５】
制御部１８０は、記憶部１７０に記憶されているプログラムを読み取り実行することにより、管理情報送信部１８２、取得部１８４、接続情報送信部１８６および無線接続制御部１８８の機能を処理に応じて実現する。例えば、親機として機能する表示装置１００の制御部１８０は、管理情報送信部１８２、取得部１８４および接続情報送信部１８６を有する。また、クライアントとして機能する表示装置１００の制御部１８０は、管理情報送信部１８２および無線接続制御部１８８を有する。次に、図３を参照して、管理情報送信部１８２、取得部１８４、接続情報送信部１８６および無線接続制御部１８８の動作を中心に、表示システム１０の動作を説明する。
【００２６】
図３は、第１実施形態に係る表示システム１０の動作を説明するための説明図である。図３に示す動作は、複数の表示装置１００を含む表示システム１０の制御方法の一例である。なお、図３に示す動作は、複数の表示装置１００ａ、１００ｂおよび１００ｃがグループ化されるまでの表示システム１０の動作を示す。図３に示す例では、表示装置１００ａは、第１の表示装置および特定の表示装置の一例であり、表示装置１００ｂおよび１００ｃは、第２の表示装置の一例である。
【００２７】
なお、図３では、識別情報ＩＩＮＦ、管理情報ＭＩＮＦ、接続情報ＣＩＮＦ、サービスセット識別子ＳＳＩＤ、パスワードＰＷ等の情報の送信元を区別するために、符号の末尾に“ａ”、“ｂ”または“ｃ”を付している。以下では、識別情報ＩＩＮＦ、管理情報ＭＩＮＦ、接続情報ＣＩＮＦ、サービスセット識別子ＳＳＩＤ、パスワードＰＷ等の情報は、符号の末尾に付している“ａ”、“ｂ”または“ｃ”を省いて称される場合もある。
【００２８】
ステップＳ１００の処理が実行される前の初期状態では、表示装置１００ａ、１００ｂおよび１００ｃの各々の無線機能は、アクセスポイント機能に設定されている。
【００２９】
ステップＳ１００では、表示装置１００ａ、１００ｂおよび１００ｃの各々の制御部１８０は、管理情報送信部１８２として機能し、グループ化に対応することを示す識別情報ＩＩＮＦを含む管理情報ＭＩＮＦを送信する。グループ化に対応するとは、他の表示装置１００とともに、１つのグループを構成することができることを意味する。例えば、表示装置１００のグループを構成することにより、同一グループ内の表示装置１００に対する指示および設定等の処理を、グループの親機として動作する表示装置１００を介して一括で実行することができる。管理情報ＭＩＮＦは、例えば、ビーコン情報であり、無線ＬＡＮのマネジメントフレームを利用して繰り返し送信される。マネジメントフレームには、ベンダーの固有情報を付与することができる。例えば、グループ化に対応することを示す識別情報ＩＩＮＦが管理情報ＭＩＮＦに付与される。
【００３０】
例えば、表示装置１００ａは、識別情報ＩＩＮＦａを含む管理情報ＭＩＮＦａを繰り返し送信する。表示装置１００ｂは、識別情報ＩＩＮＦｂを含む管理情報ＭＩＮＦｂを繰り返し送信する。表示装置１００ｃは、識別情報ＩＩＮＦｃを含む管理情報ＭＩＮＦｃを繰り返し送信する。なお、識別情報ＩＩＮＦは、サービスセット識別子ＳＳＩＤと兼用されてもよい。サービスセット識別子ＳＳＩＤは、無線ＬＡＮのアクセスポイントを識別するための文字列である。例えば、サービスセット識別子ＳＳＩＤが示す文字列の一部が、グループ化に対応することを示す文字列に割り当てられてもよい。ステップＳ１００の処理は、無線機能がアクセスポイント機能に設定されている間、繰り返し実行される。
【００３１】
次に、ステップＳ１２０では、表示装置１００ａの制御部１８０は、グループを形成するグループ化処理の開始を指示する開始指示ＳＤＩＲを受け付ける。例えば、ユーザーは、表示装置１００ａ、１００ｂおよび１００ｃのうち、表示装置１００ａを親機として選択する操作を表示装置１００ａの操作部１１０に対して実行する。そして、表示装置１００ａの制御部１８０は、表示装置１００ａを親機として選択する操作情報を、表示装置１００ａを親機とするグループ化処理の開始指示ＳＤＩＲとして受け付ける。この結果、表示装置１００ａは、グループの親機、すなわち、グループで使用するネットワークのアクセスポイントとして機能し、ステップＳ２００およびＳ３００の処理を実行する。開始指示ＳＤＩＲが受け付けられてから、ステップＳ２００およびＳ３００の処理が実行されるため、ユーザーの意図しないタイミングでグループ化処理が実行されることを抑止することができる。
【００３２】
ステップＳ２００では、表示装置１００ａの制御部１８０は、取得部１８４として機能し、他の表示装置１００ｂおよび１００ｃから送信される管理情報ＭＩＮＦｂおよびＭＩＮＦｃを取得する。なお、表示装置１００ａが取得する管理情報ＭＩＮＦは、開始指示ＳＤＩＲの受け付け前に他の表示装置１００から送信される管理情報ＭＩＮＦでもよい。この場合、表示装置１００ａは、表示装置１００ｂおよび１００ｃからそれぞれ送信される最新の管理情報ＭＩＮＦｂおよびＭＩＮＦｃをステップＳ２００の処理を実行するまで保持する。
【００３３】
次に、ステップＳ３００では、表示装置１００ａの制御部１８０は、接続情報送信部１８６として機能し、識別情報ＩＩＮＦを含む管理情報ＭＩＮＦの送信元の表示装置１００ｂおよび１００ｃに、表示装置１００ａへの無線接続に必要な接続情報ＣＩＮＦａを送信する。接続情報ＣＩＮＦａは、例えば、ビーコンリクエストであり、無線ＬＡＮのマネジメントフレームを利用して送信される。マネジメントフレームには、上述したように、ベンダーの固有情報を付与することができる。例えば、表示装置１００ａのサービスセット識別子ＳＳＩＤａ、パスワードＰＷａ、セキュリティーの種類、および表示装置１００ａを親機とするグループ化処理の開始を通知する開始通知等の情報が接続情報ＣＩＮＦａに付与される。親機として機能する表示装置１００のサービスセット識別子ＳＳＩＤおよびパスワードＰＷは、無線接続に必要な接続情報ＣＩＮＦの内容の一例である。
【００３４】
表示装置１００ｂおよび１００ｃは、グループ化処理の開始を通知する開始通知を含む接続情報ＣＩＮＦａを受信すると、ステップＳ４００の処理を実行する。
【００３５】
ステップＳ４００では、表示装置１００ｂおよび１００ｃの各々の制御部１８０は、無線接続制御部１８８として機能し、接続情報ＣＩＮＦａに基づいて表示装置１００ａに無線で接続することにより、表示装置１００ａのグループＮＷＧａに参加する。グループＮＷＧａは、例えば、表示装置１００ａをアクセスポイントとする無線ＬＡＮのグループである。
【００３６】
例えば、表示装置１００ｂおよび１００ｃは、グループ化処理の開始を通知する開始通知を含む接続情報ＣＩＮＦａを表示装置１００ａから受信すると、無線機能をアクセスポイント機能からクライアント機能に切り替える。そして、表示装置１００ｂおよび１００ｃは、例えば、接続情報ＣＩＮＦａに含まれるサービスセット識別子ＳＳＩＤａおよびパスワードＰＷａを用いて、アクセスポイントとして動作する表示装置１００ａに無線で接続する。この結果、表示装置１００ａをアクセスポイントとする無線ＬＡＮのグループＮＷＧａに表示装置１００ｂおよび１００ｃが含まれる。例えば、表示装置１００ａは、グループＮＷＧａにおける親機としてマスター的な動作をし、表示装置１００ｂおよび１００ｃは、グループＮＷＧａにおける子機としてスレーブ的な動作をする。
【００３７】
なお、グループ化に対応する表示装置１００以外は、パスワードＰＷ、セキュリティーの種類等の情報がマネジメントフレーム内のどの位置に格納されているか分からないため、第三者が接続情報ＣＩＮＦを悪用することは困難である。したがって、セキュリティーの低下を抑止することができる。なお、表示装置１００は、パスワードＰＷを平文ではなく、暗号化して格納してもよい。暗号化および復号化の方法は、表示システム１０の各表示装置１００の接続情報送信部１８６および無線接続制御部１８８で一意のアルゴリズムとしておくことで、表示装置１００だけが解読可能とできる。
【００３８】
図３に示すように、ユーザーは、複数の表示装置１００のうちの１つを親機として選択する操作を行えば、無線接続のための初期設定等のネットワーク設定を各表示装置１００に行うことなく、無線ＬＡＮを用いて複数の表示装置１００をグループ化できる。すなわち、無線ＬＡＮを用いて、複数の表示装置１００を容易にグループ化することができる。したがって、表示システム１０では、無線ＬＡＮを用いて複数の表示装置１００をグループ化する場合に、ユーザーの作業を低減でき、使い勝手等のユーザービリティを向上することができる。
【００３９】
例えば、表示システム１０がプロジェクションマッピングに用いられる場合、プロジェクションマッピングに使用する複数の表示装置１００のうちの１つを親機として選択する操作をユーザーが行えば、複数の表示装置１００を容易にグループ化することができる。このため、プロジェクションマッピングのイベント毎に複数の表示装置１００をグループ化する場合でも、ユーザーの作業負荷の増加を抑制することができる。
【００４０】
また、表示システム１０では、接続情報ＣＩＮＦａは、無線ＬＡＮのマネジメントフレームを利用して送信される。なお、サービスセット識別子ＳＳＩＤに接続情報ＣＩＮＦａを含める方法も考えられるが、サービスセット識別子ＳＳＩＤは、３２文字までの制限があるため、サービスセット識別子ＳＳＩＤに接続情報ＣＩＮＦａを含めることは困難である。さらに、サービスセット識別子ＳＳＩＤは、ユーザーが容易に見ることができるため、サービスセット識別子ＳＳＩＤにパスワードＰＷを含めると、セキュリティーが低下するおそれがある。
【００４１】
これに対し、無線ＬＡＮのマネジメントフレームの中身を見るには、無線フレームのキャプチャ設備が必要であるため、表示システム１０では、ユーザーおよび第三者が無線ＬＡＮのマネジメントフレームに格納されているパスワードＰＷを見る機会を低減することができる。この結果、ユーザーが見ることができるサービスセット識別子ＳＳＩＤ等の情報にパスワードＰＷを含める場合に比べて、セキュリティーを向上させることができる。また、表示システム１０では、管理情報ＭＩＮＦおよび接続情報ＣＩＮＦの送受信を一般的な無線ＬＡＮ規格の範囲内で実現しているため、一般的なハードウェア環境で図３に示す動作を実現することができる。次に、図４を参照して、表示装置１００の動作を説明する。
【００４２】
図４は、第１実施形態に係る表示装置１００の動作の一例を示すフローチャートである。図４に示す動作は、表示システム１０に含まれる表示装置１００の制御方法の一例である。すなわち、図４に示す動作は、表示システム１０の制御方法の一例である。表示装置１００の無線機能の初期状態は、アクセスポイント機能に設定されている。なお、ステップＳ１００、Ｓ２００およびＳ３００の各処理は、図３のステップＳ１００、Ｓ２００およびＳ３００の各処理と同様であるため、詳細な説明を省略する。また、ステップＳ１２２の処理は、図３のステップＳ１２０の処理に対応する。また、ステップＳ４０２の処理と、ステップＳ４０４、Ｓ４０６およびＳ４０８の一連の処理とは、図３のステップＳ４００の処理に対応する。
【００４３】
ステップＳ１００では、表示装置１００の制御部１８０は、管理情報送信部１８２として機能し、グループ化に対応することを示す識別情報ＩＩＮＦを含む管理情報ＭＩＮＦを送信する。なお、ステップＳ１００の処理は、無線機能がアクセスポイント機能に設定されている間、繰り返し実行される。
【００４４】
次に、ステップＳ１２２では、表示装置１００の制御部１８０は、開始指示ＳＤＩＲがあるか否かを判定する。例えば、制御部１８０は、親機として選択する操作を操作部１１０が受け付けると、開始指示ＳＤＩＲがあると判定する。すなわち、制御部１８０は、親機として選択する操作を操作部１１０が受け付けていない場合、開始指示ＳＤＩＲがないと判定する。開始指示ＳＤＩＲがある場合、表示装置１００は、動作をステップＳ２００に移し、グループで使用するネットワークのアクセスポイントとして動作する。一方、開始指示ＳＤＩＲがない場合、表示装置１００の動作は、ステップＳ１４０に移る。
【００４５】
ステップＳ１４０では、表示装置１００の制御部１８０は、接続情報ＣＩＮＦを他の表示装置１００から受信しているか否かを判定する。表示装置１００は、接続情報ＣＩＮＦを他の表示装置１００から受信している場合、動作をステップＳ４０４に移し、クライアントとして動作する。一方、表示装置１００は、接続情報ＣＩＮＦを他の表示装置１００から受信していない場合、動作をステップＳ１００に戻す。すなわち、表示装置１００は、アクセスポイントとして動作するかクライアントとして動作するかが決まるまで、ステップＳ１００、Ｓ１２２およびＳ１４０の一連の処理を繰り返す。
【００４６】
表示装置１００は、アクセスポイントとして動作する場合、ステップＳ２００、Ｓ３００およびＳ４０２の一連の処理を実行する。
【００４７】
ステップＳ２００では、表示装置１００の制御部１８０は、取得部１８４として機能し、無線機能をアクセスポイント機能に維持し、他の表示装置１００から送信される管理情報ＭＩＮＦを取得する。
【００４８】
次に、ステップＳ３００では、表示装置１００の制御部１８０は、接続情報送信部１８６として機能し、自表示装置１００のグループに参加させるために、識別情報ＩＩＮＦを含む管理情報ＭＩＮＦの送信元の表示装置１００に、自表示装置１００への無線接続に必要な接続情報ＣＩＮＦを送信する。
【００４９】
次に、ステップＳ４０２では、表示装置１００は、アクセスポイントとして、他の表示装置１００と無線で接続する。例えば、表示装置１００の制御部１８０は、接続情報ＣＩＮＦに含まれるパスワードＰＷａを用いた他の表示装置１００からの無線接続の要求に応じて、他の表示装置１００と無線で接続する。アクセスポイントとして動作する表示装置１００は、他の表示装置１００を、自表示装置１００に無線で接続させることにより、自表示装置１００のグループに参加させる。
【００５０】
一方、表示装置１００は、クライアントとして動作する場合、ステップＳ４０４、Ｓ４０６およびＳ４０８の一連の処理を実行する。
【００５１】
ステップＳ４０４では、表示装置１００の制御部１８０は、無線接続制御部１８８として機能し、無線機能をアクセスポイント機能からクライアント機能に変更する。無線接続制御部１８８が無線機能をアクセスポイント機能からクライアント機能に切り替えることにより、表示装置１００をクライアントとして動作させることができる。
【００５２】
次に、ステップＳ４０６では、表示装置１００の制御部１８０は、無線接続制御部１８８として機能し、接続情報ＣＩＮＦの送信元の表示装置１００に、無線接続を要求する。例えば、クライアントとして動作する表示装置１００は、アクセスポイントとして動作する表示装置１００、すなわち、接続情報ＣＩＮＦの送信元の表示装置１００への無線接続を、接続情報ＣＩＮＦに含まれるサービスセット識別子ＳＳＩＤおよびパスワードＰＷを用いて要求する。
【００５３】
次に、ステップＳ４０８では、表示装置１００は、クライアントとして、他の表示装置１００と無線で接続する。例えば、表示装置１００の制御部１８０は、無線接続制御部１８８として機能し、アクセスポイントへの無線接続の要求が認められると、アクセスポイントとして動作する表示装置１００に無線で接続する。クライアントとして動作する表示装置１００は、アクセスポイントとして動作する表示装置１００に無線で接続することにより、アクセスポイントとして動作する表示装置１００のグループに参加する。
【００５４】
なお、表示装置１００の動作は、図４に示す例に限定されない。例えば、ステップＳ１４０の処理は、ステップＳ１２２の処理の前に実行されてもよい。この場合、ステップＳ１２２の処理は、表示装置１００が接続情報ＣＩＮＦを他の表示装置１００から受信していない場合に実行される。また、ステップＳ１４０の処理がステップＳ１２２の処理の前に実行される場合、ステップＳ１２２の処理で開始指示ＳＤＩＲがないと判定されると、表示装置１００の動作は、ステップＳ１００に戻る。
【００５５】
以上、第１実施形態では、表示システム１０に含まれる複数の表示装置１００の各々は、グループ化に対応することを示す識別情報ＩＩＮＦを含む管理情報ＭＩＮＦを送信する。そして、複数の表示装置１００のうちの１つである第１の表示装置１００は、他の表示装置１００から送信される管理情報ＭＩＮＦを取得する。また、第１の表示装置１００は、識別情報ＩＩＮＦを含む管理情報ＭＩＮＦの送信元の表示装置１００である第２の表示装置１００に、第１の表示装置１００への無線接続に必要な接続情報ＣＩＮＦを送信する。そして、第２の表示装置１００は、接続情報ＣＩＮＦを第１の表示装置１００から受信すると、接続情報ＣＩＮＦに基づいて第１の表示装置１００に無線で接続することにより、第１の表示装置１００のグループに参加する。
【００５６】
したがって、表示システム１０のユーザーは、無線接続のための初期設定等のネットワーク設定を各表示装置１００に行うことなく、無線のネットワークを用いて複数の表示装置１００を容易にグループ化できる。すなわち、表示システム１０では、無線のネットワークを用いて複数の表示装置１００をグループ化する場合に、ユーザーの作業を低減でき、使い勝手等のユーザービリティを向上することができる。
【００５７】
＜第２実施形態＞
第２実施形態と第１実施形態との主な相違点は、複数の表示装置１００のうちのアクセスポイントとして動作する表示装置１００に制御装置２００を無線で接続する点である。
【００５８】
図５は、第２実施形態に係る表示システム１２の説明図である。図１から図４で説明済みの要素と同一の要素については、同一の符号を付し、詳細な説明を省略する。図５に示す表示システム１２は、制御装置２００が図１の表示システム１０に追加されることを除いて、図１の表示システム１０と同一である。例えば、表示システム１２は、複数の表示装置１００ａ、１００ｂおよび１００ｃと、制御装置２００とを有する。表示システム１２に含まれる表示装置１００の数は、３つに限定されず、例えば、２つでもよいし、４つ以上でもよい。表示装置１００ａ、１００ｂおよび１００ｃについては、図１から図４で説明済みであるため、制御装置２００を中心に説明する。図５に示す例では、表示装置１００ａ、１００ｂおよび１００ｃのうち、表示装置１００ａがアクセスポイントとして動作する。
【００５９】
制御装置２００は、例えば、パーソナルコンピューターであり、アクセスポイントとして動作する表示装置１００ａのグループＮＷＧａに無線で接続され、表示装置１００ａのグループＮＷＧａに属する表示装置１００ａ、１００ｂおよび１００ｃを制御する。なお、制御装置２００は、パーソナルコンピューターに限定されない。例えば、制御装置２００は、スマートフォン、タブレット端末等の情報端末でもよい。
【００６０】
例えば、制御装置２００は、図３のステップＳ４００の処理の後に、表示装置１００ａのサービスセット識別子ＳＳＩＤａおよびパスワードＰＷａを用いて、表示装置１００ａに無線で接続する。制御装置２００を表示装置１００ａに無線で接続する方法は、既知の方法でもよいし、表示装置１００ｂおよび１００ｃが表示装置１００ａに無線で接続する場合と同じ方法でもよい。例えば、制御装置２００は、接続情報ＣＩＮＦａの送信を表示装置１００ａに要求し、表示装置１００ａから送信される接続情報ＣＩＮＦａに含まれるサービスセット識別子ＳＳＩＤおよびパスワードＰＷを用いて、表示装置１００ａに無線で接続してもよい。
【００６１】
また、制御装置２００を表示装置１００ａに無線で接続するタイミングは、図３のステップＳ４００の処理の後に限定されない。例えば、制御装置２００は、図３のステップＳ１２０の処理の前に、表示装置１００ａに無線で接続してもよい。以下では、制御装置２００を、図３のステップＳ１２０の処理の前に、表示装置１００ａに無線で接続する場合の制御装置２００の動作を説明する。
【００６２】
制御装置２００は、図３のステップＳ１００の処理で表示装置１００ａ、１００ｂおよび１００ｃからそれぞれ送信される管理情報ＭＩＮＦａ、ＭＩＮＦｂおよびＭＩＮＦｃに基づいて、グループ化に対応する表示装置１００のリストを制御装置２００のディスプレイに表示する。そして、ユーザーは、グループ化に対応する表示装置１００のリストから親機を選択する操作を制御装置２００に対して実行する。なお、グループ化に対応する表示装置１００のリストにグループに参加させない表示装置１００が含まれている場合等では、グループ化に対応する表示装置１００のリストから親機を選択する際に、クライアントとして動作させる表示装置１００も選択されてもよい。あるいは、グループ化に対応する表示装置１００のリストから、グループに参加させない表示装置１００が指定されてもよい。
【００６３】
制御装置２００は、例えば、表示装置１００ａを親機として選択する操作を受け付けると、接続情報ＣＩＮＦａの送信を表示装置１００ａに要求する。表示装置１００ａは、接続情報ＣＩＮＦａの送信の要求を開始指示ＳＤＩＲとして受け付け、図３のステップＳ２００およびＳ３００の処理を実行し、さらに、接続情報ＣＩＮＦａを制御装置２００に送信する。なお、クライアントとして動作する表示装置１００のリストが制御装置２００から表示装置１００ａに通知される場合は、図３のステップＳ２００の処理は、省かれてもよい。制御装置２００は、表示装置１００ａから送信される接続情報ＣＩＮＦａに含まれるサービスセット識別子ＳＳＩＤおよびパスワードＰＷを用いて、表示装置１００ａに無線で接続する。
【００６４】
以上、第２実施形態においても、第１実施形態と同様の効果を得ることができる。また、第２実施形態では、第１の表示装置１００のグループに属する表示装置１００を制御する制御装置２００を、第１の表示装置１００に無線で接続する。この結果、同一のグループに属する複数の表示装置１００の制御を、パーソナルコンピューター等の制御装置２００を用いて容易に実行することができ、使い勝手等のユーザービリティを向上させることができる。
【００６５】
＜変形例＞
第１実施形態および第２実施形態の各形態は多様に変形され得る。具体的な変形の態様を以下に例示する。以下の例示から任意に選択される２以上の態様は、相互に矛盾しない範囲で適宜に併合され得る。
【００６６】
＜変形例１＞
第１実施形態および第２実施形態の各形態において、各表示装置１００は、ユーザーの操作に応じて、グループ化に対応する表示装置１００のリストをＯＳＤ（On Screen Display）メニュー等の設定画面に表示してもよい。グループ化に対応する表示装置１００のリストは、例えば、各表示装置１００から送信される識別情報ＩＩＮＦを含む管理情報ＭＩＮＦに基づいて生成される。この場合、図３のステップＳ２００の処理は省かれてもよい。また、グループ化に対応する表示装置１００のリストから親機が選択される際に、クライアントとして動作させる表示装置１００も選択されてもよい。あるいは、グループ化に対応する表示装置１００のリストから、グループに参加させない表示装置１００が指定されてもよい。
【００６７】
変形例１においても、第１実施形態および第２実施形態の各形態と同様な効果を得ることができる。また、変形例１では、グループ化に対応する表示装置１００のリストが表示されるため、ユーザーは、グループ化の対象となる表示装置１００を容易に認識できる。
【００６８】
＜変形例２＞
第１実施形態および第２実施形態の各形態において、複数の表示装置１００のうち、親機として機能する表示装置１００は、予め決められていてもよい。例えば、親機として機能する表示装置１００が表示装置１００ａに予め決まっている場合、ユーザーは、図３のステップＳ１２０において、表示装置１００ａを親機として選択する操作の代わりに、グループ化処理の開始を指示する操作を表示装置１００ａの操作部１１０に対して実行する。あるいは、ステップＳ１２０の処理が省かれ、表示装置１００ａがステップＳ１００、Ｓ２００およびＳ３００の一連の処理を繰り返し実行してもよい。
【００６９】
＜変形例３＞
第１実施形態および第２実施形態の各形態において、グループ化後に親機ではなく専ら子機として動作できる子機専用の表示装置１００が複数の表示装置１００のなかに存在していてもよい。例えば、ユーザーが特定の表示装置１００のみを親機として動作させることを考えている場合、親機として動作させることを考えていない表示装置１００を専ら子機として動作させることにより、ユーザーの意図せぬグループ化を防ぐことができる。
【００７０】
＜変形例４＞
第１実施形態および第２実施形態の各形態において、親機として機能する表示装置１００は、時刻を示すタイムスタンプを接続情報ＣＩＮＦに含めて送信してもよい。この場合、表示システム１０および１２は、接続情報ＣＩＮＦの送信と接続情報ＣＩＮＦに対する応答とを利用して、クライアントとして機能する表示装置１００の時刻を親機として機能する表示装置１００の時刻に合わせてもよい。すなわち、表示システム１０および１２は、無線ＬＡＮのマネジメントフレームを利用して、グループ化に対応する複数の表示装置１００間の時刻同期を実現してもよい。
【００７１】
＜変形例５＞
第１実施形態および第２実施形態の各形態において、親機として機能する表示装置１００は、テキスト情報を接続情報ＣＩＮＦに含めて送信してもよい。そして、接続情報ＣＩＮＦを受信する表示装置１００は、接続情報ＣＩＮＦに含まれるテキスト情報で示されるメッセージを、投射面、ＯＳＤメニュー等の画面に表示してもよい。すなわち、表示システム１０および１２は、無線ＬＡＮのマネジメントフレームを利用して、グループ化に対応する複数の表示装置１００に、ブロードキャストでメーセージを送信してもよい。
【００７２】
＜変形例６＞
制御部１８０がプロクラムを読み取り実行することによって実現される要素の全部または一部は、例えば、ＦＰＧＡ（field programmable gate array）、ＡＳＩＣ（Application Specific IC）等の電子回路によりハードウェアで実現されてもよいし、ソフトウェアとハードウェアとの協働により実現されてもよい。
【００７３】
＜変形例７＞
表示装置１００は、プロジェクターに限定されない。例えば、表示装置１００は、直視型の液晶ディスプレイまたはプラズマディスプレイであってもよい。
【符号の説明】
【００７４】
１０、１２…表示システム、１００、１００ａ、１００ｂ、１００ｃ…表示装置、１１０…操作部、１２０…画像処理部、１３０…ライトバルブ駆動部、１４０…光源駆動部、１５０…投射部、１５１…光源、１５２、１５２Ｒ、１５２Ｇ、１５２Ｂ…液晶ライトバルブ、１５２ａ…画素領域、１５２ｐ…画素、１５３…投射光学系、１６０…通信部、１７０…記憶部、１８０…制御部、１８２…管理情報送信部、１８４…取得部、１８６…接続情報送信部、１８８…無線接続制御部、１９０…バス、２００…制御装置。
【図１】
2020016810.tif 000003
【図２】
2020016810.tif 000004
【図３】
2020016810.tif 000005
【図４】
2020016810.tif 000006
【図５】
2020016810.tif 000007